(57)【特許請求の範囲】
【請求項１】
内容物が収容される容器本体；
上記容器本体の上部に結合されてポンピング部材を支持する支持体；
上記支持体に結合されてポンピング作用によって内容物を排出させるポンピング部材；
上記ポンピング部材の上部に結合され、ユーザーの加圧可否により昇下降され、上記ポンピング部材に圧力を伝達するボタン部材；
上記容器本体の上部から上記支持体を覆って回転可能に結合され、一側または他側の回転により上記ボタン部材の押し動作を選択的に規制する回転体；及び
一側の端部は上記支持体に固定され、他側の端部は上記回転体に固定されて一側の方向に回転される回転体を復元させる復元スプリングと；を含むことを特徴とする安全ボタン構造を備えるディスペンサー容器。
【請求項２】
上記回転体の内側には、回転体の回転可否により、上記ボタン部材の昇下降を規制する昇下降規制板を備え、上記昇下降規制板には、回転体が一側に回転時にのみ、上記ボタン部材が昇下降されるようにガイドするポンピングガイド溝が形成されていることを特徴とする請求項１に記載の安全ボタン構造を備えるディスペンサー容器。
【請求項３】
上記ボタン部材の下端には、上記昇下降規制板の上端に安着されてボタン部材の昇下降を防止するポンピング防止突起が形成されることを特徴とする請求項２に記載の安全ボタン構造を備えるディスペンサー容器。
【請求項４】
上記ボタン部材の下端には、ボタン部材の昇下降移動時ねじりを防止するようにねじれ防止突起が形成されることを特徴とする請求項３に記載の安全ボタン構造を備えるディスペンサー容器。
【請求項５】
上記支持体には、ポンピング防止突起とねじれ防止突起がそれぞれ挿入されてポンピング防止突起とねじれ防止突起の垂直移動をガイドする垂直ガイド溝が形成されることを特徴とする請求項４に記載の安全ボタン構造を備えるディスペンサー容器。
【請求項６】
上記支持体には、上記復元スプリングの一側の端部が挿入されて固定されるように、第１固定溝が形成され、上記回転体には、上記復元スプリングの他側の端部が挿入され固定されるように、第２固定溝が形成されることを特徴とする請求項１に記載の安全ボタン構造を備えるディスペンサー容器。
【発明の詳細な説明】
【技術分野】
【０００１】
本発明は安全ボタン構造を備えるディスペンサー容器に関し、より詳しくは、回転体を回転させる状態でのみ、ボタン部材の昇下降が可能で、ポンピング部材のポンピング作用によって内容物の排出が可能できるように設計することで、認知力が低下する子供によるボタン部材が加圧されることを基本的に遮断することが可能なため、子供が体に有害な物質を服用することを防ぐだけではなく、内容物が不必要に浪費されることを防ぐことができる安全ボタン構造を備えるディスペンサー容器に関するものである。
【背景技術】
【０００２】
一般的に、ディスペンサー（Ｄｉｓｐｅｎｓｅｒ）とは、気体や液体またはその他の内容物を充填した密閉容器の上側に結合されて、加圧によりその内部の内容物を一定量ずつ噴出させて使用するようにする装置として、化粧品や香水や医薬品や食品などを保存する各種密閉容器に適用されている。
【０００３】
これらのディスペンサー容器は、内容物が収容されている容器本体と、上記容器本体の上部に結合され、容器本体の内部を真空状態にし、ポンプ作用によって内容物を引き上げるポンプ部材と、上記ポンプ部材の上部に位置されてユーザーの加圧により昇下降され、ポンプ部材に圧力を伝達するためのボタン部材で構成されているものであり、ボタン部材を加圧する場合、ポンプ部材のポンプ作用が行われ内容物が排出されるように構成されている。容器をカバンに携帯して移動する場合、ユーザーが意図していない状態にてボタン部材が加圧されて内容物の不必要な排出が生じる問題点があった。
【０００４】
また、識別力が低い子供によってボタン部材が加圧されて高価な内容物が流出されることにより、内容物の無駄が発生するだけでなく、流出した内容物を子供が服用するなどの安全事故が発生するようになる問題点があった。
【０００５】
したがって、上記のような問題点を解消するため、ボタン部材の押し動作を規制したり、ポンプ部材のポンプ作用を防止するための様々なロック手段が求められている。
【発明の概要】
【発明が解決しようとする課題】
【０００６】
本発明は、上述した問題点を解決しようと案出されたものであって、本発明の目的は、回転体を回転させた状態でのみ、ボタン部材の昇下降が行われ、ポンプ部材のポンピング作用を通じた内容物の排出が可能するよう設計することで、認知力が低下する子供によってボタン部材が加圧されることを基本的に遮断することが可能なので、子供が人体に有害な物質を服用することを防止することができるだけでなく、内容物が不必要に無駄にされることを防止することができる安全ボタン構造を備えるディスペンサー容器を提供するものである。
【０００７】
また、容器をカバンに携帯して移動する際、ユーザーが意図していない状態で、ボタン部材が加圧されて、中身が不必要に消耗されることを防止することができる安全ボタン構造を備えるディスペンサー容器を提供するものである。
【課題を解決するための手段】
【０００８】
上記のような問題点を解決するため、本発明に係る安全ボタン構造を備えるディスペンサー容器は、内容物が収容される容器本体；上記容器本体の上部に結合されてポンプ部材を支持する支持体；上記支持体に結合され、ポンプ作用によって内容物を排出させるポンプ部材；上記ポンプ部材の上部に結合され、ユーザーの加圧可否により昇下降され、上記ポンプ部材に圧力を伝達するボタン部材；上記容器本体の上部から上記支持体を覆って回転できるように結合され、一方の側または他側の回転により上記ボタン部材の押し動作を選択的に規制する回転体；及び一側の端部は上記支持体に固定され、他側の端部は上記回転体に固定されて一側方向に回転した回転体を復元させる復元スプリング；  を含んでいることを特徴とする。
【０００９】
また、上記回転体の内側には、回転体の回転可否により上記ボタン部材の昇下降を規制する昇下降規制板が備えられ、上記昇下降規制板には回転体が一側に回転時にのみ、上記ボタン部材が昇下降するようにガイドするポンピングガイド溝が形成されることを特徴とする。
【００１０】
また、上記ボタン部材の下端には、上記昇下降規制板の上端に安着され、ボタン部材の昇下降を防止するポンピング防止突起が形成されることを特徴とする。
また、上記ボタン部材の下端には、ボタン部材の昇下降移動時ねじりを防止するようにねじれ防止突起が形成されることを特徴とする。
【００１１】
また、上記支持体には、ポンピング防止突起とねじり防止突起がそれぞれ挿入されてポンピング防止突起及びねじれ防止突起の垂直移動をガイドする垂直ガイド溝が形成されることを特徴とする。
【００１２】
また、上記支持体には、上記復元スプリングの一側の端部が挿入されて固定されるように第１固定溝が形成され、上記回転体には、上記復元スプリングの他側の端部が挿入されて固定されるように、第２固定溝が形成されることを特徴とする。
【発明の効果】
【００１３】
以上、上述したように、本発明によると、回転体を回転させた状態でのみボタン部材の昇下降が行われ、ポンプ部材のポンプ作用を通じた内容物の排出が可能になるように構造を設計することで、認知力が低下する子供によりボタン部材が加圧されることを基本的に遮断することができるので、子供が体に有害な物質を服用することを防止することができるだけでなく、内容物が不必要に無駄にされることを防止することができる長所がある。
【００１４】
また、容器をカバンに携帯して移動時、ユーザーが意図していない状態で、ボタン部材が加圧されて、内容物が不必要に消耗されることを防止することができる長所がある。
【図面の簡単な説明】
【００１５】
【図１】本発明の望ましい実施例に係る安全ボタン構造を備えるディスペンサー容器の構成を示す分解斜視図である。
【図２】本発明の望ましい実施例に係る安全ボタン構造を備えるディスペンサー容器の構成を示す結合斜視図である。
【図３】本発明の望ましい実施例に係る安全ボタン構造を備えるディスペンサー容器の構成を示す断面図である。
【図４】本発明の望ましい実施例に係る安全ボタン構造を備えるディスペンサー容器の回転体の回転によるボタン部材の昇下降動作過程を示す説明図である。
【図５】本発明の望ましい実施例に係る安全ボタン構造を備えるディスペンサー容器の使用方法を示す説明図である。
【図６】本発明の望ましい実施例に係る安全ボタン構造を備えるディスペンサー容器の使用方法を示す説明図である。
【発明を実施するための形態】
【００１６】
以下、図面を参照して、本発明について詳細に説明する。各図面に提示された同じ参照記号は同じ部材を示す。
【００１７】
図１は、本発明の望ましい実施例に係る安全ボタン構造を備えるディスペンサー容器の構成を示す分解斜視図であり、図２は、本発明の望ましい実施例に係る安全ボタン構造を備えるディスペンサー容器の構成を示す結合斜視図である。
【００１８】
図３は、本発明の望ましい実施例に係る安全ボタン構造を備えるディスペンサー容器の構成を示す断面図であり、図４は、本発明の望ましい実施例に係る安全ボタン構造を備えるディスペンサー容器の回転体の回転によるボタン部材の昇下降動作過程を示す説明図である。
【００１９】
図１〜４を参照すると、本発明の望ましい実施例に係る安全ボタン構造を備えるディスペンサー容器は、容器本体（１００）、支持体（２００）、ポンピング部材（３００）、ボタン部材（４００）、回転体（５００）、復元スプリング（６００）が含まれる。
【００２０】
上記容器本体（１００）は、内容物が収容されているものであって、上端には、後述する支持体（２００）の結合によって閉鎖されており、その内部には、内容物の使用により上昇するピストン（１１０）が備えられている。
【００２１】
上記支持体（２００）は、上記容器本体（１００）の上部に結合されてポンピング部材（３００）を支持するものであって、その中央部にポンピング部材（３００）が結合されてピストン作動ができるように空間を形成するポンプ結合管（２１０）が上部に突出形成され、上記ポンプ結合管（２１０）の下部中央部には、上記容器本体（１００）に収容された内容物が上部に移動することができるように内容物流入ホール（２１１）が形成され、上記の内容物流入ホール（２１１）には、流入された内容物の逆流を防止するようにチェックバルブ（２１２）が設置されている。
【００２２】
本発明において、上記支持体（２００）の内周面には、後述するねじり防止突起（４２０）とポンピング防止突起（４３０）がそれぞれ挿入されて、ねじり防止突起（４２０）及びポンピング防止突起（４３０）の垂直方向の移動をガイドする垂直ガイド溝（２２０）が形成されることが特徴で、支持体（２００）の内周面に沿って一定間隔で離隔された多数の垂直ガイド溝（２２０）がねじれ防止突起（４２０）とポンピング防止突起（４３０）の垂直方向の移動をガイドすることで、ボタン部材（２００）の昇下降時、ボタン部材（２００）のねじりを防止することになる。
【００２３】
一方、上記支持体（２００）の内側下部には、後述する復元スプリング（６００）の一側の端部が挿入されて固定されるように、第１固定溝（２３０）が形成されることが特徴で、上記第１固定溝（２３０）には、下方向に曲げられる第１曲げ部（６１０）が挿入されて復元スプリング（６００）の一側の端部を支持体（２００）に固定させるのに、回転体（５００）の回転時に回転体（５００）の第２固定溝（５２２）に挿入されて固定される第２曲げ部（６２０）と一緒に作用し、弾性エネルギーを蓄積して、回転体（５００）の回転を停止し手を置く場合、ばねのような機能を提供し、抜けようとする力によって回転体（５００）を復元させることになる。
【００２４】
上記ポンプ部材（３００）は、上記支持体（２００）のポンプ結合管（２１０）に結合されてボタン部材（４００）の加圧時にポンプ作用によって内容物を外部に排出させるものであり、上記ポンプ部材（３００）は、本発明が属する技術分野において、公知技術であるので詳細説明は省略することにする。
【００２５】
上記ボタン部材（４００）は、上記ポンプ部材（３００）の上部に結合され、ユーザー加圧可否により昇下降され、上記ポンプ部材（３００）に圧力を伝達してポンピング部材（３００）のポンピング作用を可能にするものであって、その側面にポンプ作用による内容物の排出を可能にする排出ホール（４１０）が形成される。
【００２６】
上記ボタン部材（４００）の下端には、ボタン部材（４００）の昇下降移動時ねじりを防止するために一定間隔に離隔された多数のねじれ防止突起（４２０）が形成されるが、上記ねじり防止突起（４２０）が支持体（２００）の内周面に形成された垂直ガイド溝（２２０）に沿って移動することにより、ボタン部材（４００）がある一側に傾いておらず垂直移動されることが可能になる。
【００２７】
また、本発明において、上記ボタン部材（４００）の下端には、上記昇下降規制板（５２０）の上端に固定され、ボタン部材（４００）の昇下降を防止するポンピング防止突起（４３０）が形成されることが特徴で、上記ポンピング防止突起（４３０）は、図４に示したように、普通は回転体（５００）の昇下降規制板（５２０）の上端に安着されてポンピングガイド溝（５２１）とずれるように位置し、ボタン部材（４００）の押し動作が行われないようにし、回転体（５００）が回転してポンピングガイド溝（５２１）の直上部に位置することになる場合には、上記ポンピングガイド溝（５２１）に沿って下方向に移動して、ボタン部材（４００）の昇下降動作を可能にする。
【００２８】
また、上記ポンピング防止突起（４３０）は、支持体（２００）の垂直ガイド溝（２２０）に沿って移動することにより、ボタン部材（４００）が左右どの一側に傾いていくねじり現象を防止するように構成されていることが望ましい。
【００２９】
上記回転体（５００）は、上記容器本体（１００）の上部で上記支持体（２００）を覆って回転可能するように結合されるものであって、本発明において、上記回転体（５００）は、一側または他側の回転により上記ボタン部材（４００）の押し動作を選択的に規制するように構成されることが特徴である。このため、上記回転体（５００）の内側には、回転体（５００）の回転可否により上記ボタン部材（４００）の昇下降を規制する昇下降規制板（５２０）が備え、上記昇下降規制板（５２０）には、回転体（５００）が一側に回転時にのみ、上記ボタン部材（４００）が昇下降されるようにガイドするポンピングガイド溝（５２１）が形成される。
【００３０】
上記ポンピングガイド溝（５２１）は、ボタン部材（４００）の昇下降時上記ねじり防止突起（４２０）とポンピング防止突起（４３０）が移動することができるように昇下降規制板（５２０）に多数が一定間隔になり離隔して形成される。
【００３１】
一方、上記回転体（５００）には、後述する復元スプリング（６００）の他側の端部が挿入されて固定されるように、第２固定溝（５２２）が形成されることが特徴で、上記第２固定溝（５２２）には、上方向に曲げられる第２曲げ部（６２０）が挿入されて復元スプリング（６００）の一側の端部を昇下降規制板（５２０）に固定させるのに、回転体（５００）の回転時に支持体（２００）の第１固定溝（２３０）に挿入されて固定されている第１曲げ部（６１０）と一緒に作用し、弾性エネルギーを蓄積して、回転体（５００）の回転を停止し、手を置いた場合、バネのような機能を提供し、抜けようとする力によって回転体（５００）を復元させることになる。
【００３２】
一方、上記回転体（５００）の外周面には、ユーザーが把持した状態で回転時に容易にできる滑り防止突起（５１０））が形成されることが望ましい。
【００３３】
上記復元スプリング（６００）は、一側の端部は上記支持体（２００）に固定され、他側の端部は、上記回転体（５００）に固定されて一側方向に回転された回転体（５００）を復元させるものであって、本発明において、上記復元スプリング（６００）の一側の端部は、復元スプリング（６００）の下部で下方向に曲げられる第１曲げ部（６１０）を形成し、他側の端部は、復元スプリング（６００）の上端から上方に曲げられる第２曲げ部（６２０）を形成するように構成されることが特徴である。
【００３４】
上記復元スプリング（６００）は、第１曲げ部（６１０）と第２曲げ部（６２０）がそれぞれ上記支持体（２００）の第１固定溝（２３０）と回転体（５００）の第２固定溝（５２２）に挿入されて固定されるように構成され、回転体（５００）を一側に回転時に弾性エネルギーを蓄積して、回転体（５００）の回転を停止し、手を置いた場合、回転体（５００）が他側の方向に回転して復元されるよう弾性力を提供することになる。
【００３５】
上記復元スプリング（６００）は、回転体（５００）の回転を停止し、手を置く動作によって自動的に回転体（５００）が復元され、ボタン部材（４００）の加圧が行われないようにすることで、ユーザーがいちいち回転体（５００）を他側の方向に回転して復元させ必要がないので、使いやすさを提供することができるようになる。
【００３６】
以下では、図４〜６を参照して、本発明の望ましい実施例に係る安全ボタン構造を備えるディスペンサー容器の使用方法を説明する。図４〜６は、本発明の望ましい実施例に係る安全ボタン構造を備えるディスペンサー容器の使用方法を示す説明図である。
【００３７】
図４〜６を参照すると、本発明の望ましい実施例に係る安全ボタン構造を備えるディスペンサー容器は、普通はボタン部材（４００）のポンピング防止突起（４３０）が回転体（５００）の昇下降規制板（５２０）に形成されるポンピングガイド溝（５２１）とずれるよう位置してポンピング防止突起（４３０）が昇下降規制板（５２０）の上端に安着されるように構成されることで、ボタン部材（４００）の押し動作が行われないように構成され、この際、ユーザーが回転体（５００）を把持して一側方向に回転させると、ポンピングガイド溝（５２１）がボタン部材（４００）のポンピング防止突起（４３０）の直下部に位置するようにされ、ボタン部材（４００）を加圧時ポンピング防止突起（４３０）がポンピングガイド溝（５２１）に沿って移動して、ボタン部材（４００）の昇下降が行われることになる。
【００３８】
上記ボタン部材（４００）の昇下降が行われるようにすると、ポンピング部材（３００）のポンピング作用による内容物の排出が行われるようになり、内容物の排出が完了した状態で、回転体（５００）から手を離すと、回転体（５００）を一側に回転時に、弾性エネルギーが蓄積される復元スプリング（６００）の抜けようとする弾性力によって回転体（５００）が他側の方向に回転して自動的に復元されるが、これにより、ポンピング防止突起（４３０）の直下部に位置するポンピングガイド溝（５２１）がポンピング防止突起（４３０）とずれてボタン部材（４００）の押し動作が行われないようになる。
【００３９】
前述したように、本発明において、普通は、ボタン部材（４００）の押し動作が行われていなく、回転体（５００）を一側に回転した状態でのみ、ボタン部材（４００）の押し動作が行われるよう構成されることにより、認知力が低下する子供によってボタン部材が加圧されることを基本的に遮断することができるので、子供が体に有害な物質を服用することを防止することができるだけでなく、内容物が不必要に無駄にされることを防止することができるのである。
【００４０】
図面と明細書で最適実施例が提示された。ここで特定の用語が使用されたが、これは単に本発明を説明することの目的から使用されたのであって意味限定や特許請求の範囲に記載された本発明の範囲を制限するために使用されたわけではない。そのため、本技術分野の通常の知識を有する者であれば、このことから、様々な変形及び均等な他の実施例が可能であるという点を理解する。したがって、本発明の真の技術的保護範囲は、添付された特許請求の範囲の技術的意思によって定められるべきである。
【図１】
0006044859.tif 000002
【図２】
0006044859.tif 000003
【図３】
0006044859.tif 000004
【図４】
0006044859.tif 000005
【図５】
0006044859.tif 000006
【図６】
0006044859.tif 000007